(57)【特許請求の範囲】
【請求項１】
パチンコ球を適宜払い出すことのできる球払出装置と、該球払出装置から払い出された球を検出する球検出手段をそれぞれ個別にユニット化して所定の取付個所に装着すると共に、前記球払出装置と球検出手段が裏機構板に装着された状態において球払出装置が球検出手段によって取り外しできないように構成されていることを特徴とするパチンコ遊技機。
【請求項２】
前記球検出手段は、球検出器を保持体に着脱可能に取り付けてユニット化すると共に、該保持体を裏機構板の取付部の奥行方向に水平移動可能に取り付け、固定手段により前記保持体を取付部に固定保持するように構成されていることを特徴とする請求項１記載のパチンコ遊技機。
【請求項３】
前記球検出手段は、球検出器を保持体に着脱可能に取り付けてユニット化すると共に、該保持体のー側部を裏機構板の取付部に前後方向に回動自在に軸支し、保持体の他側部には取付部の係合部に係合し得る被係合部を設け、係合部と被係合部とを係合させることにより保持体を取付部に固定保持するように構成されていることを特徴とする請求項１記載のパチンコ遊技機。
【請求項４】
前記球検出手段は、球検出器を保持体に着脱可能に取り付けてユニット化すると共に、該保持体を球払出装置の底面であり、かつ球払出装置の固定位置又は固定解除位置にスライド可能に装着したことを特徴とする請求項１記載のパチンコ遊技機。
【発明の詳細な説明】
【０００１】
【発明の属する技術分野】
本発明は、パチンコ遊技機に関し、特に球払出装置と球検出手段をそれぞれ個別にユニット化して裏機構板に装着するようにしたパチンコ遊技機に関するものである。
【０００２】
【従来の技術】
従来、パチンコ遊技機の遊技盤裏面には周知のように合成樹脂製の裏機構板が装着されており、該裏機構板に入賞球検出信号に基づいて所定個数の賞球を払い出す電気的な球払出装置が設けられている。この球払出装置は、何らかの要因で故障したときに修理又は交換ができるように裏機構板に対して着脱可能に取り付けられており、該球払出装置を取り外したときに上方の球誘導通路を自動的に閉鎖して球が零れ落ちないようにするためのストッパー機構が設けられていた。
【０００３】
一方、最近では各パチンコ遊技機に対応してカード挿入口及びカードを受け入れて貸球払出信号を発信する機能部を収容した球貸機を設け、カードをカード挿入口に挿入して球貸出操作部を操作することにより球払出装置を駆動して賞球と貸球の両方を払い出すようにした所謂ＣＲ機と称されるカード対応型のパチンコ遊技機が主流となりつつある。
【０００４】
ところで、上記したカード対応型のパチンコ遊技機では、入賞球検出信号又は貸球払出信号があったときに、球払出装置を駆動して賞球や貸球を払い出すと共に、その払い出された球を同じ球検出器で計数するように構成されていた。このため、入賞信号と貸球信号とがあい前後して導出されたときには、賞球と貸球とが連続して排出されるため、入賞に基づく賞球が正確に払いだされたのか、或いは貸球払出信号によって払いだされた貸球が正確に払い出されたのか確認することができないという問題点があった。このような問題点を解決するために、最近では球払出装置の下方に賞球用検出器を備えた賞球通路と貸球用検出器を備えた貸球通路とを別々に設けた球振分機構を配設し、賞球の払出の確認と貸球の払出の確認を正確に行うことができるようにされている。
【０００５】
【発明が解決しようとする課題】
しかし、このようなカード対応型のパチンコ遊技機にあっては、上述したように球払出装置の下方に球振分機構が配設されているため、球払出装置を取り外したときに上方の球誘導通路から球が零れ落ちないようにするストッパー機構を設けるための設置スペースを作ることが困難であった。このため、例えば球噛み等の発生により球払出装置を裏機構板から取り外したりすると上方の球誘導通路からパチンコ球が垂れ流し状態となってその下方に置かれている賞球用検出器或るいは貸球用検出器で無用に検出されてしまうことになり、エラー又はエラー時の無用な解除の原因になってしまうという問題点があった。
【０００６】
本発明は、従来技術の有するこのような問題点に鑑みてなされたものであり、その目的とするところは、球払出装置を取り外した際のパチンコ球の検出ミスを無くすことが出来るようなパチンコ遊技機を提供しようとするものである。
【０００７】
【課題を解決するための手段】
上記課題を解決するために、請求項１記載の発明は、パチンコ球を適宜払い出すことのできる球払出装置と、該球払出装置から払い出された球を検出する球検出手段をそれぞれ個別にユニット化して所定の取付個所に装着すると共に、前記球払出装置と球検出手段が裏機構板に装着された状態において球払出装置が球検出手段によって取り外しできないように構成されていることを特徴としている。
【０００８】
また、請求項２記載の発明において、前記球検出手段は、球検出器を保持体に着脱可能に取り付けてユニット化すると共に、該保持体を裏機構板の取付部の奥行方向に水平移動可能に取り付け、固定手段により前記保持体を取付部に固定保持するように構成されていることを特徴としている。
【０００９】
さらに、請求項３記載の発明において、前記球検出手段は、球検出器を保持体に着脱可能に取り付けてユニット化すると共に、該保持体のー側部を裏機構板の取付部に前後方向に回動自在に軸支し、保持体の他側部には取付部の係合部に係合し得る被係合部を設け、係合部と被係合部とを係合させることにより保持体を取付部に固定保持するように構成されていることを特徴としている。
【００１０】
また、請求項４記載の発明において、前記球検出手段は、球検出器を保持体に着脱可能に取り付けてユニット化すると共に、該保持体を球払出装置の底面であり、かつ球払出装置の固定位置又は固定解除位置にスライド可能に装着したことを特徴としている。
【００１１】
そして、請求項１記載の発明は、球検出手段を外さないと球払出装置を裏機構板から取り外すことができないようにされているため、該球払出装置を取り外した際のパチンコ球のミスカウントを確実に無くすことが可能となる。
【００１２】
また、請求項２記載の発明乃至請求項４記載の発明は、球払出装置を裏機構板に容易に取り付けることができると共に、球検出手段の固定作業を簡単に行うことが可能となる。
【００１３】
【発明の実施の形態】
次に、図面を参照して本発明の実施の形態について説明する。なお、本発明にあってはカード対応型のパチンコ遊技機について説明するが、それ以外の一般的なパチンコ遊技機についても適用可能であること勿論である。
【００１４】
図１は本発明が適用されるカード対応型のパチンコ遊技機の正面図、図２はその裏面図である。図において、ａはパチンコ遊技機、ｂはパチンコ遊技機ａに隣接するように設けられた薄型のカード式球貸機である。パチンコ遊技機ａは、機枠１の前面に前面枠２を開閉自在に装着している。前面枠２の後前側には、取付枠を介して遊技盤３が着脱自在に装着される。遊技盤３の表面には、発射位置を有するガイドレール４が設けられ、そのガイドレール４で囲まれる遊技部に複数の入賞口５、可変表示器６、大入賞口７等が設けられている。また、前面枠２の前面下方部には打球供給皿８、下部貯留皿９、操作ハンドル１０等が設けられている。また、カード式球貸機ｂの前面には、カード挿入口１１、球貸スイッチ１２、カード返却スイッチ１３等が設けられている。
【００１５】
一方、前記遊技盤３の裏面には、入賞球集合カバー１４が取り付けられており、該入賞球集合カバー１４の後面に遊技盤３の前面の可変表示器６や大入賞口７等の電気的駆動源を囲う箱状カバー１５が設けられている。また、遊技盤３の取付枠一側には合成樹脂製の裏機構板１６が上下のヒンジ１７，１７を介して着脱及び開閉自在に装着されている。
【００１６】
前記裏機構板１６は、遊技盤３の裏面と相対する前面側にパチンコ球の直径よりもやや大きい奥行幅を有する入賞球集合空間が形成され、そのほぼ中央部に前記箱状カバー１５を突出させるための開口窓１８が形成されている。また、開口窓１８の下方には入賞球集合空間から落下する入賞球を集合する入賞球集合通路１９が形成されており、該入賞球集合通路１９の流下端に入賞球を１個ずつ電気的に検出しながら排出処理する入賞球排出処理装置２０が設けられている。そして、その検出信号が後述する球払出装置２４に送られるようになっている。
【００１７】
一方、前記裏機構板１６の後面側上部にはパチンコ遊技機ａの上方の補給樋から補給されるパチンコ球を貯留する球タンク２１が固着される。球タンク２１の下方には該球タンク２１内のパチンコ球を整列して導き出す誘導レール２２が設けられ、該誘導レール２２の下流端に球振分機構２３を備えた球払出装置２４がカーブレール２５を介して着脱自在に装着されている。
【００１８】
前記球払出装置２４は、図５及び図６に示すようにカーブレール２５に連通する球通路２６が形成されたケース体２７と、球通路２６を一列になって流下するパチンコ球の１個ずつと係合する突起部２８が外周に形成されたスプロケット２９と、該スプロケット２９を回転させる駆動モーター３０とから構成されている。この球払出装置２４は、前記入賞球排出処理装置２０からの入賞球検出信号又はカード式球貸機ｂからの貸球払出信号に基づいて駆動モーター３０が駆動し、スプロケット２９の所定角度の回転によって突起部２８と突起部２８との間に受けられているパチンコ球を１個ずつ下方に排出するようになっている。なお、前記ケース体２７の前面四隅には取着用の係合突部２７ａが形成されている。
【００１９】
前記球振分機構２３は、球払出装置２４の球通路２６と連通状に形成された賞球排出通路３１と貸球排出通路３２との分岐部に通路切替レバー３３が軸３４により回動自在に支持されており、この通路切替レバー３３の軸支部より下方に形成された係合部３５に電磁石３６の作動板３７が係合されている。そして、電磁石３６が消滋している通常状態のとき図５実線に示すように通路切替レバー３３が貸球排出通路３２を閉じるほぼ起立した位置に回動付勢されており、電磁石３６が励磁されると通路切替レバー３３がその付勢に抗して図５鎖線のように時計廻り方向に回動して賞球排出通路３１を閉じ、球通路２６と貸球排出通路３２とを連通させるようになっている。
【００２０】
しかして、前記カーブレール２５の下方に位置した裏機構板１６には、図４に示すように球払出装置２４を所定位置に正確に位置づけて取り付けるために凹窪状の取付部３８が形成されている。該取付部３８は、球払出装置２４と後述する球検出手段３９とを上下に並設可能な大きさ形状に形成されており、その奥壁３８ａの上下四隅部にケース体２７の係合突部２７ａを係合し得る係合規制部４０が形成されている。
【００２１】
前記球検出手段３９は、図４に示すように球振分機構２３の賞球排出通路３１及び貸球排出通路３２を通過するパチンコ球をそれぞれカウントする賞球用の球検出器４１及び貸球用の球検出器４２を備え、該球検出器４１，４２を長方形状の保持体４３に形成された収納筒部４４，４４に嵌挿して爪状の弾性係合片４５，４５により着脱可能に係止保持することによりユニット化されているもので、前記保持体４３の左右の側面には取付部３８の下部両側であり、かつ奥行方向に水平状に形成された凹溝４６，４６に篏挿し得るガイド突条４７，４７が突設されている。
【００２２】
また、前記取付部３８の下方に位置した裏機構板１６の前面には、球検出手段３９を取付部３８に固定するための固定部材４８が軸４９により回動自在に設けられている。この固定部材４８は、球検出手段３９の保持体４３の前面を押圧係止する係止部５０と操作部５１とを有し、回動により保持体４３を取付部３８の下部に固定させることができる。
【００２３】
上記のように構成された本発明において、球払出装置２４と球検出手段３９を裏機構板１６に取り付けるには、先ず図７実線に示すように球払出装置２４のケース体２７前面を取付部３８の奥壁３８ａに当てがって係合突部２７ａを係合規制部４０の下方に位置させ、この状態のまま同図鎖線のようにケース体２７を上方に引き上げることにより係合突部２７ａを係合規制部４０に係合させて球払出装置２４を取付部３８に取り付ける。次に、図８に示すように球払出装置２４の下方に球検出手段３９の保持体４３を臨ませると共に、該保持体４３のガイド突条４７，４７を取付部３８の凹溝４６，４６に嵌め合わせて保持体４３を取付部３８の奥行方向に押し込むことにより球検出手段３９を取付部３８に取り付けた後、固定部材４８を回動して係止部５０を球検出手段３９の保持体４３前面に圧接させることで球払出装置２４及び球検出手段３９を取付部３８に取り付けることができる。このように、球払出装置２４と球検出手段３９とが裏機構板１６に取り付けられた状態のとき球検出手段３９によって球払出装置２４を下方に押し下げることができないため該球払出装置２４を取り外すことができない。
【００２４】
そして、球払出装置２４を裏機構板１６から取り外すときは、先ず固定部材４８を回動して球検出手段３９の保持体４３の固定を解除し、該保持体４３を取付部３８から取り外す。次に、球払出装置２４のケース体２７を下方に押し下げて係合突部２７ａと係合規制部４０との係合を解除することにより簡単に取り外すことができる。
【００２５】
このように構成された本発明によれば、球払出装置２４と球検出手段３９とをそれぞれ個別にユニット化して裏機構板１６の取付部３８に取り付けるようにすると共に、球検出手段３９を外さないと球払出装置２４を裏機構板１６から取り外すことができないようになっているため、球払出装置２４を取り外したときに上方の球誘導レール２２から球が零れ落ちるようなことがあっても既に球検出手段３９が取り外されていて無用に球を検出するようなことが無くなる。
【００２６】
また、球払出装置２４を取り付けた後に球検出手段３９を取り付け、該球検出手段３９により球払出装置２４が外れないように固定するものであるから、従来球払出装置２４を固定するために必要とされていたストッパー部材が球検出手段３９で兼用することができるため余分な作業が不要になる。
【００２７】
図９及び図１０は他の実施の形態に係わる球検出手段３９ａを示すもので、この球検出手段３９ａは、図１０に示すように取付部３８の下部一側に支持片５２，５２が上下に対設されており、他側に係合部としての爪状の弾性係合片５３が設けられている。そして、支持片５２，５２に球検出手段３９ａの保持体４３の一側が軸５４により前後方向に回動自在に軸支されている。また、保持体４３の他側部には被係合部としての爪状の弾性係止片５５が設けられており、保持体４３を回動して弾性係止片５５を弾性係合片５３に係合させることにより図９に示すように球検出手段３９ａが取付部３８に係止固定されるようになっている。この実施の形態の場合、球検出手段３９ａの固定作業を簡単に行うことができる。
【００２８】
図１１乃至図１３に示す実施の形態は、球払出装置２４の底面ほぼ中央に断面コ字形の溝枠部５６を形成し、球検出手段３９ｂの保持体４３の中央に形成された嵌合部５７を溝枠部５６に嵌挿して球検出手段３９ｂを球払出装置２４の底面に前後方向へスライド自在に取り付けたものである。前記保持体４３の嵌合部５７は、溝枠部５６の内側に沿わせて嵌挿させる形状に形成されたリブ壁５８と、溝枠部５６の水平受面５９の上面に摺接する支持板部６０とを有し、該支持板部６０の前後位置に前記溝枠部５６の水平受面５９に穿設された係止孔６１に係合させる前後の弾性係止片６２，６３が形成されている。そして、後部の弾性係止片６２を係止孔６１に係合させることにより球検出手段３９ｂが球払出装置２４の底面から外れないように仮止めされるようになっている。
【００２９】
上記のように構成された実施の形態において、球払出装置２４を裏機構板１６に取り付けるには、先ず図１２実線に示すように球払出装置２４のケース体２７前面を取付部３８の奥壁３８ａに当てがって係合突部２７ａを係合規制部４０の下方に位置させ、この状態のまま同図鎖線のようにケース体２７を上方に引き上げることにより係合突部２７ａを係合規制部４０に係合させて球払出装置２４を取付部３８に取り付ける。次に、図１３に示すように球検出手段３９ｂの保持体４３を取付部３８の奥行方向に押し込んでその先端部を球払出装置２４の底面と取付部３８の奥壁３８ａに形成された受突部６４との間の隙間に臨ませる。これによって前部の弾性係止片６３と係止孔６１との係合が外れ、同時的に後部の弾性係止片６２が係止孔６１に係合して球検出手段３９ｂが球払出装置２４から外れないようにロックされた状態となる。このため、球検出手段３９ｂによって球払出装置２４を下方に押し下げることができないため該球払出装置２４を取り外すことができなくなる。
【００３０】
そして、球払出装置２４を裏機構板１６から取り外すときは、後部の弾性係止片６２と係止孔６１との係合を外しながら球検出手段３９ｂの保持体４３を後方向にスライドさせた後、球払出装置２４のケース体２７を下方に押し下げて係合突部２７ａと係合規制部４０との係合を解除することにより簡単に取り外すことができる。
【００３１】
図１４及び図１５に示す実施の形態は、前記球検出手段３９ａの前面上縁にストッパー片６５を突設したもので、この実施の形態の場合には球払出装置２４を取付部３８に取り付けて球検出手段３９ａを係止固定することにより、球払出装置２４を取付部３８から外れないように固定することができる。このため、ケース体２７に係合突部２７ａを設けたり取付部３８の奥壁３８ａに係合突部２７ａを係合するための係合規制部４０を設ける必要がなくなり、かつ球払出装置２４の取付作業がより一層容易となる。
【００３２】
図１６及び図１７は球払出装置２４を横方向にスライドさせることにより該球払出装置２４を取付部３８に取り付けるようにした他の実施の形態を示すもので、その取付部３８の奥壁３８ａの上下四隅部に球払出装置２４のケース体２７に設けられた係合突部２７ａを横方向から係合し得るように平面逆Ｌ型に形成された係合規制部４０ａが形成されている。一方、球検出手段３９ａの側部には球払出装置２４のケース体２７の側面に当接するストッパーとしての凸部６６が設けられている。この実施の形態の場合、球払出装置２４を取付部３８に取り付けた状態で球検出手段３９ａを係止固定することにより図１４に示すように凸部６６が球払出装置２４の側面に当接して該球払出装置２４の横方向への移動を阻止することになるため、球払出装置２４が外れることなく確固と固定保持されることになる。そして、球払出装置２４を裏機構板１６から取り外す場合には、先ず保持体４３の弾性係止片５５と取付部３８の弾性係合片５３との係合を外して球検出手段３９ａの固定を解除した後、球払出装置２４のケース体２７を横方向に移動させて係合突部２７ａと係合規制部４０ａとの係合を解除することにより簡単に取り外すことができる。
【００３３】
図１８及び図１９は球振分機構２３と賞球用の球検出器４１及び貸球用の球検出器４２とを保持体４３ａに一体に収納してユニット化した他の実施の形態の球検出手段３９ｃを示すもので、裏機構板１６の支持片５２ａ，５２ａに軸６７により回動可能に取り付けると共に、弾性係止片５５ａと弾性係合片５３ａとを係合させることにより図１５に示すように取付部３８に係止固定するものとして示されている。その他の構成は前述した実施の形態のそれぞれを適用可能である。
【００３４】
【発明の効果】
以上説明したところから明らかなように、本発明に係るパチンコ遊技機によれば、球払出装置と球検出手段とをそれぞれ個別にユニット化して裏機構板に取り付けるようにすると共に、球検出手段を外さないと球払出装置を取り外すことができないようにしたものであるから、球払出装置を取り外したときに上方の球誘導レールから球が零れ落ちるようなことがあっても無用に球を検出するようなことがなくなり、球払出装置を取り外した際のパチンコ球の検出ミスを確実に無くすことができる。
【００３５】
また、球払出装置を取り付けた後に球検出手段を取り付け、該球検出手段により球払出装置を外れないように固定するものであるから、従来球払出装置を固定するために必要とされていたストッパー部材が球検出手段で兼用することができるため余分な作業が不要となり、作業コスト並びに製品コストを軽減することができる。
【図面の簡単な説明】
【図１】本発明に係るパチンコ遊技機の正面図である。
【図２】図１のパチンコ遊技機の裏面図である。
【図３】球払出装置と球検出手段の取り付け部分の要部斜視図である。
【図４】球払出装置と球検出手段を取り外した状態の要部斜視図である。
【図５】球払出装置の正面断面図である。
【図６】球払出装置の側面断面図である。
【図７】球払出装置の取り付けを説明する要部正面図である。
【図８】球払出装置を取り付けた状態の要部正面図である。
【図９】他の実施の形態の球払出装置と球検出手段の取り付け部分の要部斜視図である。
【図１０】図９の球払出装置と球検出手段を取り外した状態の要部斜視図である。
【図１１】他の実施の形態の球払出装置と球検出手段の取り付け部分の要部斜視図である。
【図１２】図１１の球払出装置と球検出手段の取り付け状態を説明する側面断面図である。
【図１３】図１１の球払出装置と球検出手段の取り付け状態を説明する側面断面図である。
【図１４】図９の球検出手段にストッパー片を設けた実施の形態の球払出装置と球検出手段の取り付け部分の要部斜視図である。
【図１５】図１４の球払出装置と球検出手段を取り外した状態の要部斜視図である。
【図１６】図９の球検出手段に凸部を設けた実施の形態の球払出装置と球検出手段の取り付け部分の要部斜視図である。
【図１７】図１６の正面図である。
【図１８】球振分機構と球検出手段とをユニット化した実施の形態の要部斜視図である。
【図１９】図１８の球検出手段を回動した状態の要部斜視図である。
【符号の説明】
１６      裏機構板
２４      球払出装置
３８      取付部
３９      球検出手段
４３      保持体
４８      固定部材
４９      軸
５３      弾性係合片(係合部)
５５      弾性係止片(被係合部)
【図１】
0004344430.tif 000002
【図２】
0004344430.tif 000003
【図３】
0004344430.tif 000004
【図４】
0004344430.tif 000005
【図５】
0004344430.tif 000006
【図６】
0004344430.tif 000007
【図７】
0004344430.tif 000008
【図８】
0004344430.tif 000009
【図９】
0004344430.tif 000010
【図１０】
0004344430.tif 000011
【図１１】
0004344430.tif 000012
【図１２】
0004344430.tif 000013
【図１３】
0004344430.tif 000014
【図１４】
0004344430.tif 000015
【図１５】
0004344430.tif 000016
【図１６】
0004344430.tif 000017
【図１７】
0004344430.tif 000018
【図１８】
0004344430.tif 000019
【図１９】
0004344430.tif 000020